(57)【要約】  水平セクション、傾斜セクション、及び１つ以上のリング部分を備える垂直セクションを備える触媒スタンドパイプ、ならびに関連の方法及びシステム。【選択図】図２
2018528848.tif 000002
【特許請求の範囲】
【請求項１】
水平セクション、傾斜セクション、及び垂直セクションを含む触媒スタンドパイプであって、前記水平セクション、前記傾斜セクション、及び／または前記垂直セクションが１つ以上のリング部分を備える、触媒スタンドパイプ。
【請求項２】
前記１つ以上のリング部分が触媒スタンドパイプインサートを含む、請求項１に記載の触媒スタンドパイプ。
【請求項３】
前記触媒スタンドパイプインサートが面取り加工またはテーパー状の内面を備える、請求項２に記載の触媒スタンドパイプ。
【請求項４】
前記触媒スタンドパイプインサートが、０．２５メートル〜０．５メートルの範囲の内径及び０．５メートル〜１メートルの範囲の外径を有する、請求項２または３に記載の触媒スタンドパイプ。
【請求項５】
前記触媒スタンドパイプインサートが０．０５メートル〜０．１メートルの範囲の高さを有する、請求項２〜４のいずれか一項に記載の触媒スタンドパイプ。
【請求項６】
前記１つ以上のリング部分が前記垂直セクションの管状壁の突起を含む、請求項１に記載の触媒スタンドパイプ。
【請求項７】
前記突起が、前記垂直セクションの中空内部の中へと前記中空内部の半径の０．２％〜１０％の範囲の距離で延在する、請求項６に記載の触媒スタンドパイプ。
【請求項８】
前記突起が０．１メートル〜０．１５メートルの範囲の長さを有する、請求項６または７に記載の触媒スタンドパイプ。
【請求項９】
前記突起が前記触媒スタンドパイプの内周全体を覆う、請求項６〜８のいずれか一項に記載の触媒スタンドパイプ。
【請求項１０】
前記垂直セクションが前記１つ以上のリング部分を備える、請求項１〜８のいずれか一項に記載の触媒スタンドパイプ。
【請求項１１】
前記触媒スタンドパイプが３つ以上のリング部分を備える、請求項１〜８のいずれか一項に記載の触媒スタンドパイプ。
【請求項１２】
前記１つ以上のリング部分が互いに少なくとも０．２のライザー直径を隔てて配設されている、請求項１０に記載の触媒スタンドパイプ。
【請求項１３】
前記１つ以上のリング部分が互いに最大でも１０のライザー直径を隔てて配設されている、請求項１０に記載の触媒スタンドパイプ。
【請求項１４】
前記１つ以上のリング部分が、前記垂直セクション及び／または前記水平セクションの減少した有効内径を形成することができる、請求項１〜１３のいずれか一項に記載の触媒スタンドパイプ。
【請求項１５】
水平セクション、傾斜セクション、及び１つ以上のリング部分を備える垂直セクションを備える触媒スタンドパイプ、ガスライン、使用済み触媒移送ライン、ならびに分配器を備える触媒分配器システムと、再生器容器とを備える、再生器システム。
【請求項１６】
前記触媒スタンドパイプが請求項１〜１３のいずれか一項に記載の触媒スタンドパイプを含む、請求項１４に記載の再生器システム。
【請求項１７】
前記垂直セクションの一部分が前記再生器容器内に配設される、請求項１４または１５に記載の再生器システム。
【請求項１８】
水平セクション、傾斜セクション、及び１つ以上のリング部分を備える垂直セクションを備える触媒スタンドパイプ、ガスライン、使用済み触媒移送ライン、ならびに分配器を備える触媒分配器システムと、再生器容器とを備える、再生器システムを提供することと、
ガス流を前記ガスラインに導入することと、
前記使用済み触媒移送ライン中に使用済み触媒流を導入することと、を含む、方法。
【請求項１９】
前記再生器システムが、請求項のいずれか一項に記載の再生器システムを含む、請求項１７に記載の方法。
【請求項２０】
前記再生器において前記使用済み触媒を再生することをさらに含む、請求項１８または１９に記載の方法。
【発明の詳細な説明】
【関連出願】
【０００１】
関連出願の相互参照
本出願は、２０１５年７月１日に出願された米国仮特許出願第６２／１８７，２８６号の優先権を主張し、その全開示は参照により本明細書に組み込まれる。
【技術分野】
【０００２】
本開示は一般に触媒スタンドパイプ流れ分配器に関する。より詳しくは、ある特定の実施形態では、本開示は、流動接触分解操作及び関連する方法及びシステムにおいて有用な使用済み触媒スタンドパイプ流れ分配器に関する。
【０００３】
典型的な流体接触分解装置（ＦＣＣＵ）では、微粉化再生触媒が再生器のスタンドパイプを介して再生器から引き出され、反応器ライザーの下部において炭化水素供給原料と接触する。炭化水素供給原料及び蒸気は供給ノズルを介してライザーに入る。原料と、蒸気と、再生触媒との混合物は、約２００℃〜約７００℃の温度を有し、ライザー反応器を通って上昇し、原料はより軽質の生成物に変換される一方で、コークス層が触媒の表面上に堆積し、触媒を一時的に失活させる。
【０００４】
次いで、ライザーの頂部からの炭化水素蒸気及び触媒をサイクロンに通して、使用済み触媒を炭化水素蒸気生成物流から分離する。その使用済み触媒は、ストリッパーに入り、そこで蒸気が導入されて使用済み触媒から炭化水素生成物が除去される。次いで、使用済み触媒は、使用済み触媒スタンドパイプを通過して再生器に入り、そこで、ガスの存在下、約６２０℃〜約７６０℃の温度で、その使用済み触媒上のコークス層を燃焼させて触媒活性を回復させる。再生は、典型的には、バブリングまたは高速流動床で行われる。次いで、再生触媒を、再生器スタンドパイプを介して再生器の流動床から引き出し、そして前述のサイクルを繰り返して、反応器ライザーにおいて供給原料と接触させることができる。
【０００５】
触媒の再生はＦＣＣＵ運転における重要なステップである。そのステップの成功は、使用済み触媒と再生器中の酸素含有ガスとの間の接触効率によって決まる。触媒は、いくつかの異なる方法で再生器に注入することができる。触媒を再生器に導入する１つの従来の方法は、使用済み触媒ライザーを介して再生器に触媒を注入する方法である。そのような使用済み触媒分配器及び関連するシステム、方法、及び装置の例はＵ．Ｓ．６，７９７，２３９に記載されており、その全体は参照により本明細書に組み込まれる。
【０００６】
そのような既存のシステムは有効であり得るが、それらの使用は必ずしも再生器内の均一な触媒分布を保証できるわけではない。使用済み触媒ライザーを使用して、使用済み触媒を、搬送ガスを用いて再生器中の再生器使用済み触媒分配器へ供給するとき、使用済み触媒及びガスはパイプを通って均一に移動しない場合がある。Ｇ気泡は、使用済み触媒ライザーの一方の側に沿って移動する傾向があり、触媒粒子は他方に沿って移動する傾向がある。これにより、縦型使用済み触媒ライザーの場合、使用済み触媒及びガスの再生器分配器への分配が不均一になる場合がある。この理想的でない分配の結果として、再生器への使用済み触媒及びガスの流れが不均一になり、再生器の効率が低下する場合がある。
【０００７】
使用済み触媒ライザーにおける使用済み触媒及びガスのより均一な分配を促進し、続いて再生器内の使用済み触媒分配器へと供給するという使用済み触媒ライザー流内部構造を開発することが望ましい。
【発明の概要】
【０００８】
本開示は一般に触媒スタンドパイプ流れ分配器に関する。より詳しくは、ある特定の実施形態では、本開示は、流動接触分解操作及び関連する方法及びシステムにおいて有用な使用済み触媒スタンドパイプ流れ分配器に関する。
【０００９】
一実施形態では、本開示は、水平セクション、傾斜セクション、及び垂直セクションを備え、垂直セクションは１つ以上のリング部分を備える触媒スタンドパイプを提供する。
【００１０】
別の実施形態では、本開示は、水平セクション、傾斜セクション、及び１つ以上のリング部分を備える垂直セクションを備える触媒スタンドパイプ、ガスライン、使用済み触媒移送ライン、ならびに分配器を備える触媒分配器システムと、再生器容器とを備える再生器システムを提供する。
【００１１】
別の実施形態では、本開示は、水平セクション、傾斜セクション、及び１つ以上のリング部分を備える垂直セクションを備える触媒スタンドパイプ、ガスライン、使用済み触媒移送ライン、ならびに分配器を備える触媒分配器システムと、再生器容器とを備える、再生器システムを提供することと、ガス流をガスラインに導入することと、使用済み触媒移送ライン中に使用済み触媒流を導入することと、を含む方法を提供する。
【００１２】
添付の図面と併せて以下の説明を参照することにより、本実施形態及びその利点のより完全かつ徹底した理解を得ることができる。
【図面の簡単な説明】
【００１３】
【図１】本開示のある特定の実施形態に従う触媒スタンドパイプインサートの図である。
【図２】本開示のある特定の実施形態に従う触媒スタンドパイプインサートの図である。
【図３】本開示のある特定の実施形態に従う触媒スタンドパイプインサートの図である。
【図４】本開示のある特定の実施形態に従う触媒再生器システムの図である。
【図５】様々な再生器システムの密度プロファイルの図である。
【００１４】
本開示の特徴及び利点は、当業者には容易に明らかであろう。当業者によって数多くの変更をなすことができるが、そのような変更は本開示の趣旨の範囲内である。
【発明を実施するための形態】
【００１５】
以下の説明は、本発明の主題の技術を具体化する例示的な装置、方法、技術、及び／または指示シーケンスを含む。しかしながら、記載される実施形態は、これらの特定の詳細を用いずに実施され得ることが理解されよう。
【００１６】
本開示は一般に触媒スタンドパイプ流れ分配器に関する。より詳しくは、ある特定の実施形態では、本開示は、流動接触分解操作及び関連する方法及びシステムにおいて有用な使用済み触媒スタンドパイプ流れ分配器に関する。
【００１７】
ある特定の実施形態では、本開示は、使用済み触媒を再生器へと搬送する新しい方法を提供する。ある特定の実施形態では、本明細書で考察されるシステム及び方法は、従来のシステムに比べて、触媒スタンドパイプライザーと再生器の両方の中での使用済み触媒のより均一な分布を促進する。ある特定の実施形態では、本明細書で考察されるシステム及び方法は、使用済み触媒ライザーシステムにおける逆混合の影響を低減するので、触媒スタンドパイプ流れシステムにおける圧力降下を抑えることができる。
【００１８】
図１を参照すると、図１は触媒スタンドパイプインサート１００を示している。ある特定の実施形態では、触媒スタンドパイプインサート１００は空洞を画定する中実の環状構造を備えることができる。ある特定の実施形態では、触媒スタンドパイプインサート１００は、以下の材料、すなわち金属、セラミック、及びサーメットのいずれかから構成され得る。ある特定の実施形態では、触媒スタンドパイプインサート１００は、耐火性コーティング及び／または耐侵食性コーティングでコーティングすることができる。ある特定の実施形態では、触媒スタンドパイプインサート１００は使用済み触媒スタンドパイプインサートを含むことができる。
【００１９】
ある特定の実施形態では、触媒スタンドパイプインサート１００は、外面１１０、上面１２０、底面１３０、及び内面１４０を備えことができる。
【００２０】
ある特定の実施形態では、触媒スタンドパイプインサート１００は、０．００３メートルから０．５メートルまでの範囲の高さであり得る。ある特定の実施形態では、触媒スタンドパイプインサート１００は、０．０１メートルから０．２５メートルまでの範囲の高さを有することができる。他の実施形態では、触媒スタンドパイプインサート１００は、０．０５メートルから０．１メートルまでの範囲の高さを有することができる。
【００２１】
ある特定の実施形態では、触媒スタンドパイプインサート１００は、０．１メートルから８メートルまでの範囲の外径を有することができる。ある特定の実施形態では、触媒スタンドパイプインサート１００は、０．２メートルから４メートルまでの範囲の外径を有することができる。他の実施形態では、触媒スタンドパイプインサート１００は、０．５メートルから１メートルまでの範囲の外径を有することができる。
【００２２】
ある特定の実施形態では、触媒スタンドパイプインサート１００は、０．０５メートルから７メートルまでの範囲の内径を有することができる。ある特定の実施形態では、触媒スタンドパイプインサート１００は、０．１メートルから３．５メートルまでの範囲の内径を有することができる。他の実施形態では、触媒スタンドパイプインサート１００は、０．２５メートルから０．５メートルまでの範囲の内径を有することができる。
【００２３】
ある特定の実施形態では、触媒スタンドパイプは均一な横断面プロファイルを有することができる。ある特定の実施形態では、触媒スタンドパイプは長方形の横断面プロファイルを有することができる。そのような実施形態では、外面１１０及び内面１４０は平行な表面であってもよく、底面１３０及び上面１２０は平行面であってもよい。
【００２４】
他の実施形態では、触媒スタンドパイプは非長方形の横断面プロファイルを有することができる。そのような実施形態では、底面１３０及び上面１２０は平行面であってもよく、外面１１０及び内面１４０は非平行面であってもよい。そのような実施形態では、内面１４０は面取り加工面であってもよく、及び／またはテーパー状面であってもよく、外面１１０は直線面であってもよい。ある特定の実施形態では、内面１４０は、直線面、面取り加工面、円形面（ｒｏｕｎｄ  ｓｕｒｆａｃｅ）、ハーフブルノーズ面（ｈａｌｆ  ｂｕｌｌｎｏｓｅ  ｓｕｒｆａｃｅ）、またはフルブルノーズ面（ｆｕｌｌ  ｂｕｌｌｎｏｓｅ  ｓｕｒｆａｃｅ）であってもよい。
【００２５】
図２を参照すると、図２は触媒スタンドパイプ２００を示している。ある特定の実施形態では、触媒スタンドパイプ２００は、中空内部２２０を画定する管状壁２１０を備えることができる。ある特定の実施形態では、管状壁２１０は、金属、金属合金、及び／またはセラミックで構成することができ、耐浸食性コーティングまたはセラミックライニングで内張りすることができる。ある特定の実施形態では、触媒スタンドパイプ２００は使用済み触媒スタンドパイプを含むことができる。
【００２６】
ある特定の実施形態では、管状壁２１０は、第１の端部２３０、第２の端部２４０、水平セクション２５０、傾斜セクション２６０、及び／または垂直セクション２７０を備えることができる。
【００２７】
ある特定の実施形態では、水平セクション２５０は内径及び外径を有することができる。ある特定の実施形態では、水平セクション２５０の外径は０．３メートルから３メートルまでの範囲であり得る。ある特定の実施形態では、水平セクション２５０は均一な外径を有することができる。他の実施形態では、水平セクション２５０は不均一な外径を有することができる。ある特定の実施形態では、水平セクション２５０の内径は０．３メートルから３メートルまでの範囲であり得る。ある特定の実施形態では、水平セクション２５０は均一な内径を有することができる。他の実施形態では、水平セクション２５０は不均一な内径を有することができる。ある特定の実施形態では、水平セクション２５０は０．０５メートルから０．５メートルまでの範囲の壁厚を有することができる。ある特定の実施形態では、水平セクション２５０は０．１メートルから０．５メートルまでの範囲の壁厚を有することができる。
【００２８】
ある特定の実施形態では、傾斜セクション２６０は内径及び外径を有することができる。ある特定の実施形態では、傾斜セクション２６０の外径は０．３メートルから３メートルまでの範囲であり得る。ある特定の実施形態では、傾斜セクション２６０は均一な外径を有することができる。他の実施形態では、傾斜セクション２６０は不均一な外径を有することができる。ある特定の実施形態では、傾斜セクション２６０の内径は０．３メートルから３メートルまでの範囲であり得る。ある特定の実施形態では、傾斜セクション２６０は均一な内径を有することができる。他の実施形態では、傾斜セクション２６０は不均一な内径を有することができる。ある特定の実施形態では、傾斜セクション２６０は０．０５メートルから０．５メートルまでの範囲の壁厚を有することができる。ある特定の実施形態では、傾斜セクション２６０は０．１メートルから０．５メートルまでの範囲の壁厚を有することができる。
【００２９】
ある特定の実施形態では、垂直セクション２７０は内径及び外径を有することができる。ある特定の実施形態では、垂直セクション２７０の外径は０．３メートルから３メートルまでの範囲であり得る。ある特定の実施形態では、垂直セクション２７０の外径は水平セクション２５０の外径と同じであってもよい。他の実施形態では、垂直セクション２７０の外径は水平セクション２５０の外径と異なっていてもよい。ある特定の実施形態では、水平セクション２７０は均一な外径を有することができる。他の実施形態では、水平セクション２７０は不均一な外径を有することができる。
【００３０】
ある特定の実施形態では、垂直セクション２７０の内径は０．３メートルから３メートルまでの範囲であり得る。ある特定の実施形態では、垂直セクション２７０の内径は水平セクション２５０の内径と同じであってもよい。他の実施形態では、垂直セクション２７０の内径は水平セクション２５０の内径と異なっていてもよい。ある特定の実施形態では、垂直セクション２７０は均一な内径を有することができる。他の実施形態では、垂直セクション２７０は不均一な内径を有することができる。ある特定の実施形態では、垂直セクション２７０は０．０５メートルから０．５メートルまでの範囲の壁厚を有することができる。ある特定の実施形態では、垂直セクション２７０は０．１メートルから０．３メートルまでの壁厚を有することができる。
【００３１】
ある特定の実施形態では、垂直セクション２７０及び／または水平セクション２５０は１つ以上のリング部分２８０をさらに備えることができる。ある特定の実施形態では、触媒スタンドパイプ２００の垂直セクション２７０及び／または水平セクション２５０は１、２、３、４、または５つのリング部分２８０を備えることができる。ある特定の実施形態では、１つ以上のリング部分２８０の各々は均一であってもよい。他の実施形態では、リング部分２８０の１つ以上は不均一であってもよい。
【００３２】
ある特定の実施形態では、１つ以上のリング部分２８０は、中空内部２２０への管状壁２１０の突起であり得る。ある特定の実施形態では、突起は、中空内部２２０の半径の最大２５％まで延在することができる。ある特定の実施形態では、突起は中空内部２２０の半径の０．１％〜２５％の範囲で延在することができる。ある特定の実施形態では、突起は中空内部２２０の半径の０．１％〜１５％の範囲で延在することができる。ある特定の実施形態では、突起は中空内部２２０の半径の０．２％〜１０％の範囲で延在することができる。
【００３３】
ある特定の実施形態では、突起は各々０．０１メートルから０．３メートルまでの範囲の長さを有することができる。ある特定の実施形態では、各突起は各々０．０１メートルから０．５メートルまでの範囲の長さを有することができる。特定の実施形態では、各突起は、０．１メートルから０．１５メートルまでの範囲の長さを有することができる。
【００３４】
ある特定の実施形態では、突起は垂直セクション２７０及び／または水平セクション２５０の内周全体を覆うことができる。ある特定の実施形態では、突起は垂直セクション２７０及び／または水平セクション２５０の内周の一部のみを覆うことができる。
【００３５】
他の実施形態では、１つ以上のリング部分２８０はインサートを含むことができる。ある特定の実施形態では、１つ以上のリング部分２８０は、触媒スタンドパイプインサート１００に関して上で考察した特徴の任意の組み合わせを含むことができる。ある特定の実施形態では、触媒スタンドパイプインサート１００は、以下の材料、すなわち金属、セラミック、及びサーメットのいずれかから構成され得る。ある特定の実施形態では、インサートは、耐火性コーティング及び／または耐侵食性コーティングでコーティングすることができる。ある特定の実施形態では、金属アンカーを使用してライザー壁に固定することによって、インサートを管状壁の内面に取り付けることができる。ある特定の実施形態では、インサートは、垂直セクション２７０の内径に等しい外径及びその外径の５０％〜９９％の内径を有するように成形されたリングであり得る。
【００３６】
ある特定の実施形態では、リング部分２８０は、触媒スタンドパイプ２００内の任意の位置に配設することができる。ある特定の実施形態では、第１のリング部分２８０は、パイプターンまたはティーから１〜５の範囲のライザー直径の距離に配設することができる。ある特定の実施形態では、第１のリング部分２８０は、パイプターンまたはティーから５〜１０の範囲のライザー直径の距離に配設することができる。他の実施形態では、第１のリング部分２８０は、パイプターンまたはティーから１０を超えるライザー直径の距離だけ離して配設することができる。ある特定の実施形態では、１つ以上のリング部分２８０は、互いに少なくとも０．２のライザー直径を隔てて配設することができる。ある特定の実施形態では、１つ以上のリング部分２８０は、互いに最大でも１０のライザー直径だけ離して配設することができる。
【００３７】
ある特定の実施形態では、１つ以上のリング部分２８０は、１つ以上のリング部分２８０の各々において、垂直セクション２７０及び／または水平セクション２５０の減少した有効内径を形成することができる。理論に限定されることを望むものではないが、減少した有効内径を形成することによって、固体相と気相との混合を改善し、気相をより高密度の固体相と強制接触させることができると考えられる。その改善された接触は、システム性能を向上させるために密度及び速度プロファイルの均一性を改善すると考えられる。リング部分２８０の使用は、壁に沿ったライザーの逆流を緩和し、関連の圧力降下を軽減するとも考えられる。
【００３８】
ある特定の実施形態において、触媒スタンドパイプ２００は、触媒スタンドパイプ２００を通るガス及び固体の流れを可能にするようなサイズにすることができる。ある特定の実施形態では、触媒スタンドパイプ２００は、１０Ｍｌｂ／時〜５０００Ｍｌｂ／時の範囲の流速で触媒スタンドパイプを通るガス及び固体の流れを可能にするようなサイズにすることができる。ある特定の実施形態では、触媒スタンドパイプ２００は、５トン／分〜５００トン／分の範囲の流速で触媒スタンドパイプ２００を通る固体の流れを可能にするようなサイズにすることができる。
【００３９】
ここで図３を参照すると、図３は、本開示のある特定の実施形態による触媒分配器１０００を示している。ある特定の実施形態では、触媒分配器１０００は使用済み触媒分配器を含むことができる。図３に示すように、ある特定の実施形態では、使用済み触媒分配器１０００は、使用済み触媒ライン１１００、ガスライン１２００、触媒スタンドパイプ１３００、及び分配器１４００を備えることができる。ある特定の実施形態では、使用済み触媒ライン１１００、ガスライン１２００、触媒スタンドパイプ１３００、及び分配器１４００は、互いに流体連通することができる。
【００４０】
ある特定の実施形態では、触媒スタンドパイプ１３００は、触媒スタンドパイプ２００に関して上で考察した特徴の任意の組み合わせを含むことができる。ある特定の実施形態では、触媒スタンドパイプ１３００は、管状壁１３１０、中空内部１３２０、第１の端部１３３０、第２の端部１３４０、水平セクション１３５０、傾斜セクション１３６０、垂直セクション１３７０、及び１つ以上のリング部１３８０を備えることができる。
【００４１】
ある特定の実施形態では、触媒スタンドパイプ１３００は、第１の端部１３３０において使用済み触媒ライン１１００及びガスライン１２００に接続し、第２の端部１３４０において分配器１４００に接続することができる。ある特定の実施形態では、触媒スタンドパイプ１３００は、５トン／分〜５００トン／分の範囲の固形分を有する、１０Ｍｌｂ／時〜５０００ｍｌｂ／時の範囲の流速の使用済み触媒とガスとの混合流を、受容するように適合させることができる。
【００４２】
ある特定の実施形態では、使用済み触媒ライン１１００は第１の端部１１１０及び第２の端部１１２０を備えることができる。ある特定の実施形態では、使用済み触媒ライン１１００は炭素鋼またはステンレス鋼で構成することができる。ある特定の実施形態では、使用済み触媒ライン１１００は耐火物で内張りすることができる。ある特定の実施形態では、使用済み触媒ライン１１００は、ＦＣＣ反応器またはストリッパーからの使用済み触媒の流れを受容できるようなサイズにすることができる。ある特定の実施形態では、使用済み触媒ライン１１００は、第２の端部１１２０において触媒スタンドパイプ１３００に接続することができる。
【００４３】
ある特定の実施形態では、ガスライン１２００は第１の端部１２１０及び第２の端部１２２０を備えることができる。ある特定の実施形態では、ガスライン１２００は炭素鋼またはステンレス鋼で構成することができる。ある特定の実施形態では、ガスライン１２００は耐火物で内張りすることができる。ある特定の実施形態では、ガスライン１２００は、使用済み触媒の流れを再生することができる送風機からの空気の流れを受容できるようなサイズにすることができる。ある特定の実施形態では、空気の流れは５，０００ＳＣＦＭ〜４０，０００ＳＣＦＭの範囲の流量を有することができる。ある特定の実施形態では、ガスライン１２００は、第２の端部１２２０において使用済み触媒ライン１１００に接続することができる。
【００４４】
ある特定の実施形態では、分配器１４００は任意の従来の分配器を含むことができる。従来の分配器としては、例えばチャネル、パイプ、スプラッシュプレート、及びディフレクタプレートが挙げられる。
【００４５】
ここで図４を参照すると、図４は、本開示のある特定の実施形態による触媒分配器システム３０００を示している。ある特定の実施形態では、触媒分配器システム３０００は、触媒分配器３１００及び再生器容器３３００を備えることができる。ある特定の実施形態では、触媒分配器システム３０００は、オンセンターにスタンドパイプ入口設計を有することができる。他の実施形態では、触媒分配器システム３０００は、オフセンターにスタンドパイプ入口設計を有することができる。
【００４６】
ある特定の実施形態では、触媒分配器３１００は、触媒分配器１０００に関して上で考察した特徴の任意の組み合わせを含むことができる。ある特定の実施形態では、使用済み触媒分配器３１００は、触媒スタンドパイプ３１１０、ガスライン３１２０、使用済み触媒移送ライン３１３０、及び分配器３１４０を備えることができる。ある特定の実施形態では、触媒スタンドパイプ３１１０、ガスライン３１２０、使用済み触媒移送ライン３１３０、及び分配器３１４０は、互いに流体連通している。
【００４７】
ある特定の実施形態では、触媒スタンドパイプ３１１０は、触媒スタンドパイプ１００及び／または触媒スタンドパイプ１３００に関して上で考察した特徴の任意の組み合わせを含むことができる。
【００４８】
ある特定の実施形態では、ガスライン３１２０は、ガスライン１１２０に関して上で考察した特徴の任意の組み合わせを含むことができる。
【００４９】
ある特定の実施形態では、使用済み触媒移送ライン３１３０は、使用済み触媒移送ライン１１３０に関して上で考察した特徴の任意の組み合わせを含むことができる。
【００５０】
ある特定の実施形態では、分配器３１４０は、分配器１１４０に関して上で考察した特徴の任意の組み合わせを含むことができる。
【００５１】
ある特定の実施形態では、触媒スタンドパイプ３１００の一部分及び／または分配器３１４０は再生器容器３３００内に配設することができる。例えば、図４に示すように、分配器３１４０及び触媒スタンドパイプ３１３０の一部分は、再生器容器３３００内に配設することができる。ある特定の実施形態では、触媒スタンドパイプ３１００の一部分は再生器容器３３００の外側に配設することができる。例えば、図４に示すように、使用済み触媒移送ライン３１３０、ガスライン３１２０、及び触媒スタンドパイプ３１００の一部分は、再生器容器３３００の外側に配設することができる。
【００５２】
ある特定の実施形態では、再生器容器３３００は流動床再生器であってもよい。ある特定の実施形態では、再生器容器３３００は、ＦＣＣ反応器から使用済み触媒を再生する場合の使用に適する任意の再生器容器であってもよい。
【００５３】
ある特定の実施形態では、再生器３３００は外壁３３０１を備えることができる。ある特定の実施形態では、外壁３３０１は、内部チャンバ３３１０、使用済み触媒入口３３２０、再生器スタンドパイプ３３３０、及び煙道ガス出口３３４０を画定することができる。ある特定の実施形態では、触媒スタンドパイプ３１００は、使用済み触媒入口３３２０を通って、使用済み触媒とガスとの混合流を内部チャンバ３３１０中へと入れることができる。ある特定の実施形態では、再生器容器３３００は、使用済み触媒とガスとの混合流中で使用済み触媒を再生することができる。ある特定の実施形態では、再生器スタンドパイプ３３３０は、再生された使用済み触媒を再生器３３００から出すことができる。ある特定の実施形態では、煙道ガス出口３３４０は、煙道ガスを再生器３３００から出すことができる。ある特定の実施形態では、再生器スタンドパイプは、使用済み触媒を液中排出または床上排出することができる。
【００５４】
ある特定の実施形態では、本開示は、水平セクション、傾斜セクション、及び１つ以上のリング部分を備える垂直セクションを備える触媒スタンドパイプ、ガスライン、使用済み触媒移送ライン、ならびに分配器を備える触媒分配器システムと、再生器容器とを備える、再生器システムを提供することと、ガス流をガスラインに導入することと、使用済み触媒移送ライン中に使用済み触媒流を導入することと、を含む方法を提供する。
【００５５】
ある特定の実施形態では、触媒分配器は、触媒分配器システム３０００に関して上で考察した任意の触媒分配器システムを含むことができる。
【００５６】
ある特定の実施形態では、ガス流をガスラインに導入することは、ガスライン中に空気または酸素の流れを導入することを含むことができる。ある特定の実施形態では、ガスの流れは５，０００ＡＣＦＭ〜４０，０００ＡＣＦＭの範囲の流量を有することができる。
【００５７】
ある特定の実施形態では、使用済み触媒の流れを使用済み触媒移送ライン中に導入することは、ＦＣＣ反応器からの使用済み触媒の流れを使用済み触媒移送ライン中に導入することを含むことができる。特定の実施形態では、使用済み触媒の流れは１０Ｍｌｂ／時〜５０００Ｍｌｂ／時の範囲の量であり得る。
【００５８】
ある特定の実施形態では、本方法は、ガスの流れと使用済み触媒の流れとを組み合わせて、使用済み触媒とガスとの混合流を形成することをさらに含むことができる。ある特定の実施形態では、使用済み触媒とガスとの混合流は、５トン／分〜５００トン／分の範囲の固形分を有する１０Ｍｌｂ／時〜５０００Ｍｌｂ／時の範囲の量であり得る。ある特定の実施形態では、方法は、使用済み触媒とガスの流れを、触媒スタンドパイプを介して再生器中へと入れることをさらに含むことができる。ある特定の実施形態では、方法は、使用済み触媒を再生器容器中で再生することをさらに含むことができる。
【００５９】
本発明のより良い理解を容易にするために、以下に特定の実施形態の実施例を示す。本発明の範囲を限定し、または定義するものとしていかなる場合も以下の実施例を読むべきではない。
【実施例】
【００６０】
実施例１
【００６１】
スタンドパイプシステムの使用済み触媒ライザー部分において１組のリングを含む触媒スタンドパイプシステムの分配効率を試験するためにコンピュータシミュレーションを行った。使用済み触媒ライザーにおける触媒の分布及び再生器容器における触媒の最終的な分布を測定した。使用済み触媒ライザー内にリングデバイスを配設することにより、再生器床における固体の分布が改善され、再生器に供給される固体−ガス混合物の密度が改善され、使用済み触媒ライザーにおける粒子ガス分離が低減した。使用済み触媒システムは、完全なガス及び固体の流量、ならびに運転温度及び運転圧力によるＦＣＣ運転条件で試験した。
【００６２】
固体の粒子滞留時間プロファイルを示すチャートを図５に示す。図５から分かるように、第２の実施形態では、ライザーにおけるより均一な粒子分布、ライザー壁に沿った粒子の逆流の減少、及びライザー壁上の粒子の滞留時間に関する標準偏差の減少と共に、より均一な粒子滞留時間分布が発生した。
【００６３】
したがって、その結果は、本明細書で開示される触媒スタンドパイプが従来のスタンドパイプに比べてより高いレベルで機能することを示している。
【００６４】
実施形態を、様々な実装及び活用に関して説明しているが、これらの実施形態は例示的なものであり、発明の主題の範囲はそれらに限定されないことが理解されよう。多くの変形、修正、追加及び改良が可能である。
【００６５】
単一の実例として本明細書で説明された構成要素、操作または構造に関して、複数の実例を提供することができる。一般に、例示的な構成において別々の構成要素として提示される構造及び機能は、組み合わされた構造または構成要素として実装することができる。同様に、単一の構成要素として提示される構造及び機能は、別個の構成要素として実装することができる。これら及び他の変形、修正、追加ならびに改善は、本発明の主題の範囲内であり得る。
【図１】
2018528848.tif 000003
【図２】
2018528848.tif 000004
【図３】
2018528848.tif 000005
【図４】
2018528848.tif 000006
【図５】
2018528848.tif 000007
【国際調査報告】
2018528848.tif 000008
2018528848.tif 000009
2018528848.tif 000010